(57)【要約】【課題】            ごく普通に普及している発光素子を内蔵したスイッチを使い、その発光素子を表示手段として機能させることができるコストのかからない機能的な報知装置を開発する。【解決手段】        発光素子ＬＥＤ１０を内蔵した壁スイッチ６と電気機器を直列接続して商用電源７に接続し、機器の内部回路には壁スイッチ６の操作を検出する検知回路１１と、発光素子ＬＥＤ１０の点灯／消灯を制御する制御回路１２を設け、検知回路１１への通電によっては壁スイッチ６の発光素子ＬＥＤ１０は点灯しないように構成し、検知回路１１は、内部回路に設けたマイクロコンピュータ１９に出力し、このマイクロコンピュータ１９は、検知回路１１の検知出力を受けて予め設定された報知内容を報知すベく制御回路１２を介して壁スイッチ６の発光素子ＬＥＤ１０の点灯／消灯を制御するようにする。【選択図】          図２
2006177610.tif 000002
【特許請求の範囲】
【請求項１】
発光素子を内蔵したスイッチと電気機器を直列接続して電源に接続し、前記機器の内部回路には前記スイッチの操作を検出する検知回路と、前記発光素子の点灯／消灯を制御する制御回路を設け、前記検知回路への通電によっては前記スイッチの発光素子は点灯しないように構成し、前記検知回路は、前記内部回路に設けた制御手段に出力し、この制御手段は、前記検知回路の検知出力を受けて予め設定された報知内容を報知すベく前記制御回路を介して前記スイッチの発光素子の点灯／消灯を制御するようにした報知装置。
【請求項２】
請求項１に記載の報知装置であって、制御手段にスイッチの動作時間を記憶させる記憶手段を設け、記憶された動作時間が一定時間に達したとき報知動作をするようにした報知装置。
【請求項３】
発光素子を内蔵したスイッチと装置本体を直列接続して電源に接続し、前記装置本体の内部回路には前記スイッチの操作を検出する検知回路と、前記発光素子の点灯／消灯を制御する制御回路を設け、前記検知回路への通電によっては前記スイッチの発光素子は点灯しないように構成し、前記検知回路は、前記内部回路に設けた制御手段に出力し、この制御手段は、前記検知回路の検知出力を受けて予め設定された報知内容を報知すべく前記制御回路を介して前記スイッチの発光素子の点灯／消灯を制御するようにした換気装置。
【請求項４】
請求項３に記載の換気装置であって、制御手段にスイッチの動作時間を記憶させる記憶手段を設け、記憶された動作時間が一定時間に達したとき報知動作をするようにした換気装置。
【発明の詳細な説明】
【技術分野】
【０００１】
本発明は、発光素子を内蔵したスイッチの発光素子を利用して電気機器の状態や異常やメンテナンス時期の到来等を報知するようにした報知装置及び、発光素子を内蔵したスイッチを利用して装置本体の状態や異常やメンテナンス時期の到来等を報知するようにした換気装置に関するものである。
【背景技術】
【０００２】
離れた所に単純な形の情報を送る報知装置として、遠隔の回路から遠隔の押釦スイッチに設けた発光手段を点滅させるものがある。送る情報内容を多くするために内容毎に発光手段の点滅周期を変えたりしているものもある。なお、この種の従来技術としては許文献１や特許文献２に開示されている。
【０００３】
【特許文献１】特開平１０−２７５２８７号公報
【特許文献２】特開昭５９−１４０５９７号公報
【発明の開示】
【発明が解決しようとする課題】
【０００４】
従来の報知装置は、遠隔装置（リモコン）に備えられた押釦スイッチと並列に定電圧素子と発光素子の直列回路が設けられている。遠隔装置に繋がった押釦装置には、押釦スイッチの操作を検知する比較手段が設けられ、押釦スイッチがオフのときには定電圧素子電圧より低い電圧を押釦スイッチに供給し、押釦スイッチがオンのときには定電圧素子電圧より高い電圧を押釦スイッチに供給して発光素子を点灯させるようにしている。また、マイクロコンピュータを使って、報知する内容毎に発光素子の発光周期を変えている。しかし、遠隔装置に備えられる押釦スイッチ及び表示手段としての発光素子は、当該装置専用のものであり、装置のコストを高くしている。また、機器の状態等を表示する表示装置についても、特別な表示手段が必要であり、コストの高騰は免れない。
【０００５】
本発明は、上記した課題を解決するためになされたものであり、その目的とするところは、ごく普通に普及している発光素子を内蔵したスイッチを使い、その発光素子を表示手段として機能させることができるコストのかからない機能的な報知装置を開発することであり、その報知装置を使った報知機能を備えたコストのかからない換気装置を得ることである。
【課題を解決するための手段】
【０００６】
上記課題を解決するために本発明は、発光素子を内蔵したスイッチと電気機器を直列接続して電源に接続し、機器の内部回路にはスイッチの操作を検出する検知回路と、発光素子の点灯／消灯を制御する制御回路を設け、検知回路への通電によってはスイッチの発光素子は点灯しないように構成し、検知回路は、内部回路に設けた制御手段に出力し、この制御手段は、検知回路の検知出力を受けて予め設定された報知内容を報知すべく制御回路を介してスイッチの発光素子の点灯／消灯を制御するようにする手段を採用する。
【発明の効果】
【０００７】
本発明によれば、ごく普通に普及している発光素子を内蔵したスイッチの発光素子を表示手段として使うことができ、特別な表示手段を構成することなく、簡易な構成のコストのかからない機能的な報知装置や報知機能を備えた換気装置が得られる。
【発明を実施するための最良の形態】
【０００８】
本発明の換気装置は報知装置を備えている。換気装置の装置本体は、室外の空気を室内へ給気するための給気風路と、室内の空気を室外へ排気する排気風路を備えている。給気風路には給気流を形成する給気用の送風機が、排気風路には排気流を形成する排気用の送風機がそれぞれ設けられている。給気風路と排気風路は一部において交差しており、この交差部に空気対空気で熱交換を行う熱交換器が組込まれている。換気装置は壁スイッチを介して商用電源に接続される。壁スイッチは、報知装置の表示手段及び電源スイッチを構成するもので、スイッチとコイルと、コイルの二次側に繋がれた発光素子が一纏めに組込まれた、普通に広く普及しているものである。装置本体の内部回路には壁スイッチのスイッチの操作を検出する検知回路と、壁スイッチの発光素子の点灯／消灯を制御する制御回路が設けられている。検知回路への通電によっては壁スイッチの発光素子は点灯しないように構成されている。検知回路は、内部回路に設けたマイクロコンピュータに出力し、マイクロコンピュータは、検知回路の検知出力を受けて予め設定された報知内容を報知すべく制御回路を介して壁スイッチの発光素子の点灯／消灯を制御する。具体的には、検知回路によってマイコンは、外部記憶装置に換気装置の延べ運転時間を記憶させ、メンテナンス時期が到来したとき、制御回路を介して壁スイッチの発光素子を点灯し、メンテナンス時期であることを利用者に報知する。この報知装置を備えた換気装置は、発光素子を内蔵した壁スイッチの発光素子を表示手段として使うことができ、特別な表示手段を構成することなく、簡易な構成のコストのかからない機能的なものとなる。
【０００９】
実施の形態１．
図１は本実施の形態の熱交換換気装置の構成図、図２は報知装置の回路構成図、図３と図４は、報知装置の動作を説明したタイムチャートである。この熱交換換気装置は、図１に示すように室外の空気を室内へ給気するための給気風路１と、室内の空気を室外へ排気する排気風路２を備えている。給気風路１には給気流を形成する給気用の送風機３が、排気風路２には排気流を形成する排気用の送風機４がそれぞれ設けられている。給気風路１と排気風路２は一部において交差しており、この交差部に空気対空気で熱交換を行う熱交換器５が組込まれている。
【００１０】
熱交換換気装置は、壁スイッチ６を介して商用電源７に接続される。壁スイッチ６は、報知装置の表示手段及び装置本体の電源スイッチを構成するもので、スイッチ８とコイル９と、コイル９の二次側に繋がれた発光素子ＬＥＤ１０が一纏めに組込まれた、普通に広く普及しているものである。コイル９の一次側に一定以上の電流が流れると発光素子ＬＥＤ１０が点灯する。装置本体の内部回路には壁スイッチ６のスイッチ８の操作を検出する検知回路１１と、壁スイッチ６の発光素子ＬＥＤ１０の点灯／消灯を制御する制御回路１２が並列に設けられている。検知回路１１は報知装置の構成要素であり、抵抗器１３とフォトカプラー１４の発光側とダイオード１５の直列回路で構成されている。抵抗器１３によってフォトカプラー１４に流れる電流は、壁スイッチ６の発光素子ＬＥＤ１０が点灯しない大きさに制限されている。制御回路１２も報知装置の構成要素であり、発光素子ＬＥＤ１０を点灯させるために必要な電流を流すための負荷１６を持ち、発光素子ＬＥＤ１０を点灯させるために必要な電流をダイオードブリッジ１７で整流し、フォトカプラー１８の受光側のオン／オフによって入れ切りできるように構成されている。なお、この回路構成では、発光素子ＬＥＤ１０を点灯させるために必要な電流をダイオードブリッジ１７とフォトカプラー１８の受光側とで入れ切りしているが、トランジスターやリレーまたは、トライアックを用いて入れ切りするようにしても良い。
【００１１】
フォトカプラー１４の受光側及びフォトカプラー１８の発光側は、それぞれ内部回路に設けられた制御手段としてのマイクロコンピュータ１９に接続されている。マイクロコンピュータ１９は、検知回路１１の検知出力を受けて予め設定された報知内容を報知すべく制御回路１２を介して壁スイッチ６の発光素子ＬＥＤ１０の点灯／消灯を制御する。壁スイッチ６のスイッチ８がオフのときは、図３のタイムチャートに示すように、フォトカプラー１４は常にオフされている。図１のＡ点での波形は、常にＬｏである。これによりマイクロコンピュータ１９はスイッチ８がオフであると認識する。このとき、マイクロコンピュータ１９の制御により制御回路１２のフォトカプラー１８をオン／オフさせてもスイッチ８がオフになっているため、コイル９に電流は流れず発光素子ＬＥＤ１０は点灯しない。
【００１２】
壁スイッチ６のスイッチ８がオンされると、フォトカプラー１４は、図４に示すようにオン／オフを繰り返えすため、図２のＡ点での波形は矩形波となる。これによりマイクロコンピュータ１９はスイッチ８がオンであると認識する。このとき、マイクロコンピュータ１９の制御により制御回路１２のフォトカプラー１８をオンさせると、図４に示すようにコイル９に電流が流れ、発光素子ＬＥＤ１０が点灯する。そして、フォトカプラー１８をオフさせると、コイル９に流れる電流は小さくなり、発光素子ＬＥＤ１０を点灯するに満たなくなり、発光素子ＬＥＤ１０は消灯する。このように、壁スイッチ６のスイッチ８がオンしているときにフォトカプラー１８をオン／オフさせることで発光素子ＬＥＤ１０を点灯／消灯させることができる。具体的にはマイクロコンピュータ１９は、検知回路１１によって検知したスイッチ８のオン時間を外部記憶装置２０に延べ運転時間として記憶させ、例えばフィルターのメンテナンス時期が到来したとき、制御回路１２を介して壁スイッチ６の発光素子ＬＥＤ１０を点灯し、フィルターのメンテナンス時期であることを利用者に報知する。
【００１３】
この報知装置を備えた熱交換換気装置は、発光素子ＬＥＤ１０を内蔵した壁スイッチ６の発光素子ＬＥＤ１０を表示手段として使うことができ、特別な表示手段を構成することなく、簡易な構成のコストのかからない機能的なものとなる。報知内容に関しては、フィルターのメンテナンス時期が来たことの他、消耗品の交換時期が来たことや、機能部品に異常が発生したこと等の他、遅延運転やタイマー運転等、装置本体の運転状態とすることもできる。報知内容が多岐に及ぶ場合、報知内容毎に発光素子ＬＥＤ１０の点滅周期を変えるようにすれば良い。
【００１４】
実施の形態２．
図５〜図７に示す本実施の形態は、報知装置について、壁スイッチの仕様を変えたものであり、基本的には実施の形態１のものと同じである。従って、実施の形態１のものと同じ部分については、実施の形態１のものと同じ符号を付し、それらについての説明は省略する。
【００１５】
図５の回路構成図に示すように、本実施の形態の報知装置は、スイッチ８と並列に発光素子としてのランプ２１が設けられ一体化された壁スイッチ６が用いられている。この壁スイッチ６も普通に広く普及しているものである。スイッチ８がオフするとランプ２１に電流が流れてランプ２１が点灯する仕組みになっている。機器は、壁スイッチ６を介して商用電源７に接続される。装置本体の内部回路には、ランプ２１を点灯させ、さらにスイッチ８の状態を検出するために必要な電流を流す負荷１６とダイオードブリッジ１７が直列に接続されている。この回路構成でも実施の形態１と同様に、ランプ２１を点灯させるために必要な電流をダイオードブリッジ１７とフォトカプラー１８の受光側とで入れ切りしている。
【００１６】
壁スイッチ６のスイッチ８がオンのときは、フォトカプラー１４をオンさせることで、フォトカプラー１４はオン／オフを繰り返えすため、図５のＣ点での波形は図６に示すように矩形波となる。この矩形波が入力されることによりマイクロコンピュータ１９はスイッチ８がオンであると認識する。このとき、マイクロコンピュータ１９の制御により制御回路１２のフォトカプラー１８をオン／オフさせてもスイッチ８がオンしているため、ランプ２１に電流は流れずランプ２１は点灯しない。
【００１７】
壁スイッチ６のスイッチ８がオフのときは、図７のタイムチャートに示すように、フォトカプラー１４は常にオフされている。図５のＣ点での波形は、常にＬｏである。これによりマイクロコンピュータ１９はスイッチ８がオフであると認識する。このとき、マイクロコンピュータ１９の制御により制御回路１２のフォトカプラー１８をオンさせるとランプ２１に電流が流れ、ランプ２１は点灯する。これに対して、フォトカプラー１８をオフさせると、ランプ２１に流れる電流は小さくなりランプ２１を点灯するに満たなくなり、ランプ２１は消灯する。このように、壁スイッチ６のスイッチ８がオフしているときにフォトカプラー１８をオン／オフさせることでランプ２１を点灯／消灯させることができる。これ以外の機能は実施の形態１の報知装置と同じである。
【図面の簡単な説明】
【００１８】
【図１】熱交換換気装置を示す構成図である。（実施の形態１）
【図２】報知装置の回路構成図である。(実施の形態１）
【図３】スイッチがオフのときの報知装置の動作を示すタイムチャートである。(実施の形態１）
【図４】スイッチがオンのときの報知装置の動作を示すタイムチャートである。(実施の形態１）
【図５】報知装置の回路構成図である。(実施の形態２）
【図６】スイッチがオンのときの報知装置の動作を示すタイムチャートである。(実施の形態２）
【図７】スイッチがオフのときの報知装置の動作を示すタイムチャートである。(実施の形態２）
【符号の説明】
【００１９】
６  壁スイッチ、  ７  商用電源、  １０  発光素子ＬＥＤ、  １１  検知回路、  １２  制御回路、  １３  抵抗器、  １４  フォトカプラー、  １７  ダイオードブリッジ、  １８  フォトカプラー、  １９  マイクロコンピュータ、  ２０  外部記憶装置、  ２１  ランプ。
【図１】
2006177610.tif 000003
【図２】
2006177610.tif 000004
【図３】
2006177610.tif 000005
【図４】
2006177610.tif 000006
【図５】
2006177610.tif 000007
【図６】
2006177610.tif 000008
【図７】
2006177610.tif 000009